(57)【要約】      （修正有）【課題】仮設足場における各建枠間の間隔の広狭に柔軟に対応した大きさに調整して整然とした配列状態で仮設足場の１階部分に簡略に配置でき、部外者の仮設足場の内部への侵入防止等の防護的機能を発揮すると共に、運搬や保管時には全体の大きさを縮小して省スペース状態にできるスライド拡縮式重合養生枠体を提供する。【解決手段】スライド拡縮式重合養生枠体１は、仮設足場の隣り合う建枠の垂直支柱間に取り付けるスライド拡縮式重合養生枠体であり、縦長直方体状で、長辺部の一方側を開口部とした直方体状空間を形成するよう枠組され、枠組部３により画される領域に金網材６を張設した外養生枠２と、外養生枠の内部の直方体状空間の略全体を占める寸法に枠組されると共に、枠組部により画される領域に金網材を張設し、外養生枠の直方体状空間に対して開口部の位置からスライドして出入するように配置したスライド養生枠１２と、を具備する。【選択図】図１
0003187839.tif 000002
【実用新案登録請求の範囲】
【請求項１】
仮設足場の建枠間に取り付けるスライド拡縮式重合養生枠体であって、
四角形状の枠組部により画される領域に各々金網材を張設した複数の養生枠を、相対的にスライド拡縮可能に重合配置し、
前記複数の養生枠相互のスライド位置を、全幅が取り付け対象である前記建枠間の間隔に整合するように調整した状態で、前記建枠に取り付けた養生クランプを介して取り付け可能としたことを特徴とするスライド拡縮式重合養生枠体。
【請求項２】
前記複数の養生枠は、全幅が６００ｍｍから１１５０ｍｍ又は１２００ｍｍから１８２９ｍｍの範囲でスライド調整可能であることを特徴とする請求項１記載のスライド拡縮式重合養生枠体。
【請求項３】
仮設足場の隣り合う建枠の垂直支柱間に取り付けるスライド拡縮式重合養生枠体であって、
縦長直方体状で、長辺部の一方側を開口部とした直方体状空間を形成するように枠組され、枠組部により画される領域に金網材を張設した外養生枠と、
前記外養生枠の内部の直方体状空間の略全体を占める寸法に枠組されるとともに、枠組部により画される領域に金網材を張設し、前記外養生枠の直方体状空間に対して前記開口部の位置からスライドして出入するように配置したスライド養生枠と、
を具備し、
前記外養生枠に対するスライド養生枠のスライド位置を、全幅が取り付け対象である前記建枠間の間隔に整合するように調整した状態で、前記外養生枠及びスライド養生枠を前記建枠の垂直支柱に取り付けた養生クランプを介して取り付け可能としたことを特徴とするスライド拡縮式重合養生枠体。
【請求項４】
前記外養生枠の枠組部と、スライド養生枠の枠組部との間に、係止片・凹溝構造のストッパー機構部が設けられていることを特徴とする請求項３記載のスライド拡縮式重合養生枠体。
【請求項５】
前記外養生枠と、スライド養生枠とは、全幅が６００ｍｍから１１５０ｍｍ又は１２００ｍｍから１８２９ｍｍの範囲でスライド調整可能であることを特徴とする請求項３又は４記載のスライド拡縮式重合養生枠体。
【請求項６】
仮設足場の建枠間に取り付けるスライド拡縮式重合養生枠であって、
縦長直方体状で、長辺部の一方側を開口部とした直方体状空間を形成するように枠組され、枠組部により画される領域に金網材を張設した第１の外養生枠と、
縦長直方体状で、前記第１の外養生枠の開口部と対向させる長辺部側を開口部とした直方体状空間を形成するように枠組され、枠組部により画される領域に金網材を張設した第２の外養生枠と、
前記第１、第２の外養生枠の両開口部を接合した状態で、両直方体状空間の略全体を占める寸法に枠組され、枠組部により画される領域に中間金網材を張設するとともに、前記第１、第２の外養生枠が、前記中間金網材の略全体が表出する位置と、外周全体を覆いつつ両開口部が接合する位置とにわたってスライドし得るように第１、第２の外養生枠間に配置した中間養生枠と、
を具備し、
前記中間養生枠の両側の第１の外養生枠、第２の外養生枠のスライド位置を、全幅が取り付け対象である前記建枠間の間隔に整合するように調整した状態で、前記第１の外養生枠、第２の外養生枠を前記建枠の垂直支柱に取り付けた養生クランプを介して取り付け可能としたことを特徴とするスライド拡縮式重合養生枠体。
【請求項７】
前記第１の外養生枠の枠組部と中間養生枠の枠組部との間、及び前記第２の外養生枠の枠組部と中間養生枠の枠組部との間には、各々係止片・凹溝構造のストッパー機構部が設けられていることを特徴とする請求項６記載のスライド拡縮式重合養生枠体。
【請求項８】
前記第１の外養生枠、中間養生枠、第２の外養生枠は、全幅が９００ｍｍから１８２９ｍｍの範囲でスライド調整可能であることを特徴とする請求項６又は７記載のスライド拡縮式重合養生枠体。
【考案の詳細な説明】
【技術分野】
【０００１】
本考案は、スライド拡縮式養生枠体に関し、詳しくは建設現場等に構築される仮設足場の１階部分に配置されて、建設現場等の内部に部外者が侵入することを防止するスライド拡縮式養生枠体に関するものである。
【背景技術】
【０００２】
建設現場等においては、建設工事を実行するために諸種の仮設足場が構築されるのが通常である。
【０００３】
そして、建設現場等の仮設足場内、建屋内への部外者等々が侵入することを防止するため、仮設足場の１階部分を構成する各建枠に養生枠を一定範囲にわたって添設することも行われる。
【０００４】
このような養生枠の従来例及びその建枠に対する添設態様について図８、図９を参照して概説する。
【０００５】
図８に示す従来の養生枠５１は、例えば、縦８００ｍｍ、横１８００ｍｍの寸法からなる横長四角枠形状の枠体部５２に、全体にわたって金網５３を張設することにより構成している。
【０００６】
この養生枠５１は、図９に概略的に、かつ、一部のみ示すように、上下２段配置とし詳細構造は省略するが仮設足場６１の各建枠６２を構成する垂直支柱６３間に公知の養生クランプ６４を用いて取り付け、このような上下配置の養生枠５１、５１を仮設足場６１の長さ方向に所要の範囲にわたって配列するものである。
【０００７】
しかしながら、仮設足場６１の各建枠６２間の間隔は必ずしも一様ではなく、仮設足場６１を構築した地盤等の条件により各建枠６２間の間隔が広狭に異なる場合も多い。
【０００８】
一方、前記養生枠５１の寸法は、規格化されたものがほとんどで種類も少ないことから、各建枠６２間の間隔の広狭に対応することは困難で、このため、養生枠５１が整然と並び見た目が良好となるような配列状態とすることは難しかった。
【０００９】
また、上述したような縦８００ｍｍ、横１８００ｍｍの寸法を有する養生枠５１は、通常の畳一枚分ほどの大きさがあることから、運搬や保管に不便であった。
【００１０】
枠組足場の組み立て方法に関する考案を開示する特許文献１の図６にも、上述した図８に示す従来の養生枠５１と同様な養生枠が開示さているが、やはり前記養生枠５１の場合と同様な問題を包含している。
【先行技術文献】
【特許文献】
【００１１】
【特許文献１】特開平８−８２０８７号公報
【考案の概要】
【考案が解決しようとする課題】
【００１２】
本考案が解決しようとする問題点は、仮設足場における各建枠間の間隔の広狭に柔軟に対応した大きさに調整して整然とした配列状態で当該仮設足場の１階部分に簡略に配置でき、部外者の仮設足場の内部への侵入防止等の防護的機能を発揮し得るとともに、運搬や保管時には全体の大きさを縮小して省スペース状態とすることができるような養生枠が存在しない点である。
【課題を解決するための手段】
【００１３】
本考案に係るスライド拡縮式重合養生枠体は、仮設足場の建枠間に取り付けるスライド拡縮式重合養生枠体であって、四角形状の枠組部により画される領域に各々金網材を張設した複数の養生枠を、相対的にスライド拡縮可能に重合配置し、前記複数の養生枠相互のスライド位置を、全幅が取り付け対象である前記建枠間の間隔に整合するように調整した状態で、前記建枠に取り付けた養生クランプを介して取り付け可能としたことを最も主要な特徴とする。
【考案の効果】
【００１４】
請求項１記載の考案によれば、仮設足場における各建枠間の間隔の広狭に柔軟に対応して複数の養生枠の全幅を当該建枠間の間隔に整合するように調整して整然とした配列状態で当該仮設足場の１階部分に簡略に配置でき、これにより、部外者の仮設足場の内部への侵入防止等の防護的機能を発揮でき、更には、運搬や保管時には全体の大きさを縮小して省スペース状態とすることができるという優れた効果を奏するスライド拡縮式重合養生枠体を実現し提供することができる。
【００１５】
請求項２記載の考案によれば、前記複数の養生枠を、全幅が６００ｍｍから１１５０ｍｍ又は１２００ｍｍから１８２９ｍｍとなる範囲でスライド調整可能としているので、仮設足場において種々の間隔をもって配列される建枠に対して柔軟に適用して、上記効果を発揮することができるスライド拡縮式重合養生枠体を実現し提供することができる。
【００１６】
請求項３乃至５記載の考案によれば、金網材を張設した外養生枠と、この外養生枠の開口部の位置からスライドして出入するように配置したスライド養生枠との２枚重合構造の基に、全幅が取り付け対象である建枠間の間隔に整合するように調整した状態で、外養生枠及びスライド養生枠を仮設足場の建枠の垂直支柱に取り付けた養生クランプを介して当該垂直支柱間に配列することができ、請求項１記載の考案と同様な効果を奏するスライド拡縮式重合養生枠体を実現し提供することができる。
【００１７】
この場合、外養生枠の枠組部と、スライド養生枠の枠組部との間に、係止片・凹溝構造のストッパー機構部を設けた構成とすれば、取り付け作業時等において両者の離脱やこれに伴う破損等を防止でき、作業性の向上を図ることもできるスライド拡縮式重合養生枠体を実現し提供することができる。
【００１８】
また、外養生枠と、スライド養生枠とを、全幅が６００ｍｍから１１５０ｍｍ又は１２００ｍｍから１８２９ｍｍの範囲でスライド調整可能としているので、請求項２記載の考案の場合と同様、仮設足場において種々の間隔をもって配列される建枠に対して柔軟に適用することができるスライド拡縮式重合養生枠体を実現し提供することができる。
【００１９】
請求項６乃至８記載の考案によれば、第１の外養生枠、中間養生枠、及び第２の外養生枠からなる３枚重合構造の基に、仮設足場に配列することで、請求項１記載の考案の場合と同様、部外者の仮設足場の内部への侵入防止等の防護的機能を発揮でき、更に、運搬や保管時には全体の大きさを縮小して省スペース状態とすることができるという優れた効果を奏するスライド拡縮式重合養生枠体を実現し提供することができる。
【００２０】
この場合、第１の外養生枠の枠組部と中間養生枠の枠組部との間、及び第２の外養生枠の枠組部と中間養生枠の枠組部との間に、各々係止片・凹溝構造のストッパー機構部が設けられているので、取り付け作業時等において離脱やこれに伴う破損等を防止でき、作業性の向上を図ることもできるスライド拡縮式重合養生枠体を実現し提供することができる。
【００２１】
請求項８記載の考案によれば、第１の外養生枠、中間養生枠、第２の外養生枠は、全幅が９００ｍｍから１８２９ｍｍの範囲でスライド調整可能としているので、請求項５記載の考案の場合と同様、仮設足場において種々の間隔をもって配列される比較的広い間隔の建枠に対して柔軟に、かつ、容易に適用することができるスライド拡縮式重合養生枠体を実現し提供することができる。
【図面の簡単な説明】
【００２２】
【図１】図１は本考案の実施例１に係るスライド拡縮式重合養生枠体の構成及び伸縮状態を示す概略説明図である。
【図２】図２は本実施例１に係るスライド拡縮式重合養生枠体におけるストッパー機構部を示す概略部分拡大斜視図である。
【図３】図３は本実施例１に係るスライド拡縮式重合養生枠体の伸び状態の底面図である。
【図４】図４は本考案の実施例２に係るスライド拡縮式重合養生枠体の構成及び伸縮状態を示す概略説明図である。
【図５】図５は本実施例２に係るスライド拡縮式重合養生枠体におけるストッパー機構部を示す概略部分拡大斜視図である。
【図６】図６は本実施例２に係るスライド拡縮式重合養生枠体の伸び状態の底面図である。
【図７】図７は本実施例１、２に係る各スライド拡縮式重合養生枠体の仮設足場への取り付け状態を示す概略説明図である。
【図８】図８は従来の養生枠の概略正面図である。
【図９】図９は従来の養生枠の仮設足場への取り付け状態を示す概略説明図である。
【考案を実施するための形態】
【００２３】
本考案は、仮設足場における各建枠間の間隔の広狭に柔軟に対応した大きさに調整して整然とした配列状態で当該仮設足場の１階部分に簡略に配置でき、部外者の仮設足場の内部への侵入防止等の防護的機能を発揮し得るとともに、運搬や保管時には全体の大きさを縮小して省スペース状態とすることができるスライド拡縮式重合養生枠体を提供するという目的を、縦長直方体状で、長辺部の一方側を開口部とした直方体状空間を形成するように枠組され、枠組部により画される領域に金網材を張設した外養生枠と、前記外養生枠の内部の直方体状空間の略全体を占める寸法に枠組されるとともに、枠組部により画される領域に金網材を張設し、前記外養生枠の直方体状空間に対して前記開口部の位置からスライドして出入するように配置したスライド養生枠と、を具備し、前記外養生枠に対するスライド養生枠のスライド位置を、全幅が取り付け対象である前記建枠間の間隔に整合するように調整した状態で、前記外養生枠及びスライド養生枠を前記建枠の垂直支柱に取り付けた養生クランプを介して取り付け可能とした構成により実現した。
【実施例】
【００２４】
以下、本考案の実施例に係るスライド拡縮式重合養生枠体について図面を参照して詳細に説明する。
なお、以下説明する実施例におけるスライド拡縮式重合養生枠体の各部分の寸法は、図示例に限定されるものでないことは勿論である。したがって、本考案に係るスライド拡縮式重合養生枠体における各部分の寸法は、実施例、図示例以外の自在な寸法として構成できる。
【００２５】
（実施例１）
図１乃至図３を参照して本考案の実施例１に係るスライド拡縮式重合養生枠体１について説明する。
【００２６】
本実施例１に係るスライド拡縮式重合養生枠体１は、図１に示すように、縦長直方体状で、例えば１８００ｍｍの寸法の長辺部の一方側を開口部４とした直方体状空間５を形成するように枠組された枠組部３を具備し、この枠組部３により画される領域に例えば金網材６を張設した外養生枠２と、この外養生枠２の内部の直方体状空間５の略全体を占める寸法に枠組された枠組部１３と、この枠組部１３により画される領域に例えば金網材６を張設し、前記外養生枠２の直方体状空間５に対して前記開口部４の位置からスライドして出入するように配置したスライド養生枠１２と、を具備している。
【００２７】
前記外養生枠２の短辺方向の寸法は、図１に示すように、例えば、６００ｍｍとしている。そして、前記外養生枠２と、スライド養生枠１２とは、図１に示すように、例えば全幅が６００ｍｍから１１５０ｍｍの範囲となるようにスライド調整可能に嵌め合わせている。
なお、図示するものではないが、前記外養生枠２と、スライド養生枠１２とを、例えば全幅が１２００ｍｍから１８２９ｍｍの範囲となるようにスライド調整可能に嵌め合わせて構成しても良い。
【００２８】
この場合、前記外養生枠２と、スライド養生枠１２とのスライド接合面に、公知のスライドレールを配置したり、ローラー・レール構造を採用したりして、両者のスライド状態を円滑化するようにすることも可能である。
【００２９】
図２は、前記外養生枠２の枠組部３と、スライド養生枠１２の枠組部１３との間に設けたストッパー機構部７を示すものであり、スライド養生枠１２の枠組部１３の上片側面部に凹溝１３ａを設け、前記枠組部３における開口部４近傍位置の側面部に前記凹溝１３ａの位置と対応する配置にＬ状の係止片３ａを例えばビス止め等で取り付け、係止片３ａの突出端を前記凹溝１３ａ内に臨ませる構成としている。
【００３０】
なお、図２は外養生枠２と、スライド養生枠１２とを分離配置で示しているが、実際にはスライド養生枠１２を開口部４内に嵌め入れた状態で係止片３ａをビス止め等で枠組部３に取り付け係止片３ａの突出端を前記凹溝１３ａ内に臨ませて、ストッパー機構部７とするものである。
【００３１】
図３は、前記外養生枠２、スライド養生枠１２を図１右欄の状態（最も広幅とした状態）の底面を示すものであり、前記外養生枠２、スライド養生枠１２の各底面には、各々従来例で述べたような公知の養生クランプ６４により支持するための孔２ａ、１２ａが設けられている。
【００３２】
本実施例１に係るスライド拡縮式重合養生枠体１の具体的な作用効果については後述する。
【００３３】
（実施例２）
次に、図４乃至図６を参照して本考案の実施例２に係るスライド拡縮式重合養生枠体２０について説明する。
【００３４】
本実施例２に係るスライド拡縮式重合養生枠体２０は、図４に示すように、実施例１の場合と同様、縦長直方体状で、長辺部の一方側を開口部２２とした直方体状空間２３を形成するように枠組され、枠組部２４により画される領域に金網材６を張設した第１の外養生枠２１と、縦長直方体状で、前記第１の外養生枠２１の開口部２２と対向させる長辺部側を開口部３２とした直方体状空間３３を形成するように枠組され、枠組部３４により画される領域に金網材６を張設した第２の外養生枠３１と、前記第１、第２の外養生枠２１、３１の両開口部２２、３２同士を接合した状態で、両直方体状空間２３、３３の略全体を占める寸法に枠組され、枠組部４４により画される領域に中間金網材６ａを張設するとともに、前記第１、第２の外養生枠２１、３１が、前記中間金網材６ａの略全体が表出する位置と、外周全体を覆いつつ両開口部２２、３２が接合する位置とにわたってスライドし得るように第１、第２の外養生枠２１、３１間に配置した中間養生枠４１と、を具備している。
【００３５】
前記第１、第２の外養生枠２１、３１の短辺方向の寸法は、図４に示すように、いずれも４５０ｍｍとしている。
【００３６】
そして、前記第１、第２の外養生枠２１、３１及び中間養生枠４１は、図４に示すように、全幅が図４左欄に示す最も縮んだ９００ｍｍから全幅が図４右欄に示す最も伸びた１８２９ｍｍの範囲でスライド調整可能に嵌め合わせている。
【００３７】
前記第１の外養生枠２１の枠組部２４と中間養生枠４１の枠組部４４との間、及び前記第２の外養生枠３１の枠組部３４と中間養生枠４１の枠組部４４との間には、図５に示すように、実施例１の場合と同様な係止片・凹溝構造のストッパー機構部が設けられている
【００３８】
すなわち、前記第１の外養生枠２１の枠組部２４から係止片２４ａを突出させ、中間養生枠４１の枠組部４４には前記凹溝１３ａと同様な凹溝４４ａを設けて係止片２４ａ、凹溝４４ａにより、前記第１の外養生枠２１と中間養生枠４１との間のストッパー機能を発揮させるように構成している。
【００３９】
また、前記第２の外養生枠３１側においては、開口部３２の隣りに第１の外養生枠２１側に向けて覆い片３１ａを突出させ、覆い片３１ａに前記係止片２４ａと同様な係止片３１ｂを取り付け凹溝４４ａに突出させることで、第２の外養生枠３１と中間養生枠４１との間のストッパー機能を発揮させるように構成している。
【００４０】
図６は、本実施例２のスライド拡縮式重合養生枠体２０の底面を示すものであり、第１の外養生枠２１、第２の外養生枠３１の底面には、各々従来例で述べたような公知の養生クランプ６４により支持するための孔２１ａ、３１ａが設けられている。
【００４１】
次に、図７を参照して、実施例１のスライド拡縮式重合養生枠体１及び実施例２のスライド拡縮式重合養生枠体２０の仮設足場６１への取り付け状態について説明する。
【００４２】
すなわち、図７は、仮設足場６１の各建枠６２を構成する垂直支柱６３間に、前記スライド拡縮式重合養生枠体１又はスライド拡縮式重合養生枠体２０を取り付けた例を示している。
【００４３】
具体的には、図７において最も左側の垂直支柱６３と、２番目の垂直支柱６３との間隔は１８２９ｍｍであるから実施例２のスライド拡縮式重合養生枠体２０を両垂直支柱６３の間隔に整合する幅として、このスライド拡縮式重合養生枠体２０を両垂直支柱６３に固定した養生クランプ６４によって両垂直支柱６３間で垂直支持する。
【００４４】
次に、２番目の垂直支柱６３と３番目の垂直支柱６３との間隔は１５２４ｍｍであるから、このときも実施例２のスライド拡縮式重合養生枠体２０を両垂直支柱６３の間隔に整合する幅として、このスライド拡縮式重合養生枠体２０を養生クランプ６４によって両垂直支柱６３間で垂直支持する。
【００４５】
次に、３番目の垂直支柱６３と４番目の垂直支柱６３との間隔は１２１９ｍｍであるから、このときも実施例２のスライド拡縮式重合養生枠体２０を両垂直支柱６３の間隔に整合する幅として、このスライド拡縮式重合養生枠体２０を養生クランプ６４によって両垂直支柱６３間で垂直支持する。
【００４６】
最後に、４番目の垂直支柱６３と５番目の垂直支柱６３との間隔は９１４ｍｍであるから、この場合は実施例１のスライド拡縮式重合養生枠体１を両垂直支柱６３の間隔に整合する幅として、このスライド拡縮式重合養生枠体１を養生クランプ６４によって両垂直支柱６３間で垂直支持する。
【００４７】
このようにして、実施例１のスライド拡縮式重合養生枠体１又は実施例２のスライド拡縮式重合養生枠体２０を、隣り合う垂直支柱６３間の間隔の広狭に柔軟に対応して、その全幅をその間隔に整合するように調整し、整然とした配列状態で当該仮設足場の１階部分に所望の範囲にわたって簡略に配置でき、これにより、部外者の仮設足場６１の内部への侵入防止等の防護的機能を有効に発揮させることができる。
【００４８】
また、実施例１のスライド拡縮式重合養生枠体１、実施例２のスライド拡縮式重合養生枠体２０は、いずれもスライド拡縮式であることから、全体の大きさを縮小して省スペース状態として運搬や保管作業を実行することができる。
【００４９】
更に、実施例１のスライド拡縮式重合養生枠体１、実施例２のスライド拡縮式重合養生枠体２０は、いずれも係止片・凹溝構造のストッパー機構部を採用することで、取り付け作業時等において各要素が分離することがないことから、離脱やこれに伴う破損等を防止でき、組立作業又は解体作業等の作業性の向上を図ることもできる。
なお、本考案に係るスライド拡縮式重合養生枠体における各部分の寸法は、実施例、図示例以外の自在な寸法として構成できることは前述した通りである。
【産業上の利用可能性】
【００５０】
本考案に係るスライド拡縮式重合養生枠体は、ビルディング建築現場、一般住宅建築現場、更にはダム等の土木構造物建造場等、種々の場所に構築される仮設足場について広範に適用可能である。
【符号の説明】
【００５１】
１    スライド拡縮式重合養生枠体
２    外養生枠
２ａ  孔
３    枠組部
３ａ  係止片
４    開口部
５    直方体状空間
６    金網材
６ａ  中間金網材
７    ストッパー機構部
１２    スライド養生枠
１２ａ  孔
１３    枠組部
１３ａ  凹溝
２０    スライド拡縮式重合養生枠体
２１    第１の外養生枠
２１ａ  孔
２２    開口部
２３    直方体状空間
２４    枠組部
２４ａ  係止片
３１    第２の外養生枠
３１ａ  覆い片
３１ｂ  係止片
３２    開口部
３３    直方体状空間
３４    枠組部
４１    中間養生枠
４４    枠組部
４４ａ  凹溝
６１    仮設足場
６２    建枠
６３    垂直支柱
【図１】
0003187839.tif 000003
【図２】
0003187839.tif 000004
【図３】
0003187839.tif 000005
【図４】
0003187839.tif 000006
【図５】
0003187839.tif 000007
【図６】
0003187839.tif 000008
【図７】
0003187839.tif 000009
【図８】
0003187839.tif 000010
【図９】
0003187839.tif 000011